(57)【要約】【課題】特別管理産業廃棄物である感染性医療廃棄物を収容している容器を破砕、損傷させることなく、前記容器の破砕前に収容している感染性医療廃棄物を完全に滅菌させることは可能か。【解決手段】滅菌を優先させ破砕以前に感染性医療廃棄物収容容器を耐熱性の箱で囲み、囲んだ箱の外壁に電磁誘導過熱蒸気用の噴射ノズルを設置して、ノズルからの高温蒸気の加熱により容器に穿孔させて内部に高温蒸気を放出し、滅菌させることによって破砕時の作業員の二次感染を防止する。【選択図】図１
2011078726.tif 000002
【特許請求の範囲】
【請求項１】
搬送コンベヤの端部の上下と左右とをトンネル状に囲み、トンネル入口にゲートとトンネルの一部天井を更に高くして、高くした空間のポケットに上下と左右と上面を囲うカバーと、カバーの壁面より電磁誘導過熱蒸気発生器からの高温蒸気の噴射ノズルを設置し、カバーは上下作動を可能としてトンネルのポケットに収納し、滅菌時に箱の一端の搬送コンベヤ鋼製エプロンへの当接を可能として高温蒸気の適時噴射と停止機能を持ち、搬送コンベヤとトンネルと処理物を囲むカバーと噴射ノズルと破砕機と破砕機上部を囲んだフードと搬出コンベヤで構成する感染性医療廃棄物滅菌機。
【請求項２】
前記滅菌機のエプロンとエプロンに載せた処理物を移送させる手段と、エプロンの一端をトンネル内左右に案内板と破砕機側に停止板とトンネル入口側に押え板とで４面を囲み、更に上面よりの押え板とで構成して前記壁面よりの噴射ノズルを設置した請求項１の感染性医療廃棄物滅菌機。
【発明の詳細な説明】
【技術分野】
【０００１】  本発明の特別管理産業廃棄物の１つに挙げられている感染性医療廃棄物を、専用容器のペール缶内に収容したままで破砕させずに、内部に収容した前記特別管理の感染性医療廃棄物を滅菌させる滅菌機。
【背景技術】
【０００２】  病院内で使用済の感染性医療廃棄物や非感染性医療廃棄物は、収容したペール缶を破砕させると内部の収容物の小片から裏面に至るまで滅菌が可能であり、運搬が安全で収集が楽だという理由で収集業者が特別な資格と注意を払うことで病院から処理業者までのペール缶を用いての搬送が行われてきた。【０００３】  病院で発生する廃棄物は院内で選別が行われて大別すると４種または６種程度に分別されてきた。その内感染性医療廃棄物に関して重視されるのは第三者に感染しないかということである。その内容はガラス、金属、プラスチック、布、紙、血液、体液、手術時摘出した体の一部、注射針、医療用器具、チューブ、点滴の容器、残留液、ビニール管、消毒剤透析のホース等があり、その中でも点滴の残液が食塩であるためこれが処理する上で問題であり、また透析ホースが塩ビのため焼却させると大きな問題が発生していてこれら全てが滅菌後に埋立及び焼却処分されてきた。【０００４】  この医療廃棄物容器は２種類あり、処理物を収容後再度容器のフタを開放して再度フタを閉じることは不可能となっている。
この処理物の処理場までの搬送についても非常に厳しい管理と行政の管理許可が必要である。
以上のように厳しい管理の下に置かれながら前記ペール缶内の感染性医療廃棄物は容器外部よりの滅菌が不完全なまま破砕を先行させているという問題がある。【０００５】  この問題は滅菌をせずに破砕を優先させると、折角ここまで管理しながら容器破砕時に破砕機への付着や内容物の飛散等を起こして作業員に感染するという危険が生じる。このような二染感染を防止するには破砕前の滅菌が必要となる。
特に本年平成２１年春以降は日本国内にも新型インフルエンザの感染により学級閉鎖も起きたという報道もなされている。【０００６】  処理業者においての工程は感染性医療廃棄物を収容した容器を破砕して滅菌機に収容し、滅菌機は破砕処理物の表裏共々滅菌させるため撹拌機による撹拌と１２０℃の飽和蒸気を吹き込みながらの撹拌を繰り返して滅菌され、処理がなされているのが現状である。【０００７】  このように滅菌以前に破砕させた場合はどうなっているのか。破砕機に投入して粉砕されるまでは収容ペール缶は堅固で少々の取り扱いにも耐え、管理も厳格に取り扱われていて外気との接触も断っている。
しかし破砕機に投入されると破砕ローターの遠心力で粉塵と汚れた空気が動いて空間汚染を起こし、作業員も危険である。破砕室の空気も汚染する可能性があった。【０００８】  もし滅菌工程を先に実施する方法を行えばペール缶内での滅菌が可能となり、汚染という問題を解決して安心安全に作業を進めることが出来る。
【特許文献１】特開２０００−２７１１７９  日本医療衛生サービス株式会社
【非特許文献１】医療性廃棄物処理プロジェクトの概要説明カタログ  鈴与
【発明の開示】
【発明が解決しようとする課題】
【０００９】  解決しようとする問題点は処理物が感染性医療廃棄物であり、今年に入り（平成２１年中頃より）日本国内でも新型インフルエンザの流行により休校する学校も出ている中で、前記廃棄物が滅菌されないまま収容容器ごと破砕処理されていて、破砕後に滅菌を行うため破砕時には感染する恐れがあるという点である。
【課題を解決するための手段】
【００１０】  本発明は感染性医療廃棄物を収容したペール缶の滅菌を開封または破砕による開放手段の後に行わず、前記処理物を前記ペール缶に収容したまま周囲を囲み、電磁誘導過熱蒸気を発生させて囲った壁面に設けた高温蒸気噴出口より噴出させてペール缶に貫通口を開口し、内部に５００℃以上の蒸気を吹き込んで滅菌した後に破砕処理をする。
【発明の効果】
【００１１】  感染性医療廃棄物を収容したペール缶をエプロンコンベヤのエプロンに載せ、前記エプロンコンベヤの一端をトンネル状に囲んだ内部に移動させると、前記ペール缶を包むようにトンネル内に設けたカバーで囲む。【００１２】  ペール缶を囲った壁面（これは側壁面でも上天井壁面でも良い）より過熱蒸気を噴出させる。ノズルで高温蒸気を容器に吹き付けて貫通口を開けると共に高温蒸気をペール缶内に噴出して滅菌させる。【００１３】  ペール缶の外より側面と上面を囲むカバーを前記ペール缶に被せて上面に大型注射針状の過熱蒸気噴出口を設け、囲いの内部に収容したペール缶上面に高温蒸気を噴出して穿孔し、更にペール缶内部に挿蒸して滅菌する。【００１４】  感染性医療廃棄物を収容したペール缶を破砕する前に滅菌することで特別管理産業廃棄物である感染性医療廃棄物の滅菌が完全に出来、人体及び空間汚染の防止に役立つことで新型流行感染の予防にも役立つ。
【発明を実施するための最良の形態】
【００１５】  感染性医療廃棄物を収容した容器を搬送コンベヤに載せ、コンベヤの端部を飛散防止のためにトンネル状に囲って、囲ったトンネル内に更に前記容器を全面囲むカバーを設ける。全面囲むのは電磁誘導過熱蒸気を前記容器に噴出する時に内部収容物が飛散するのを防止するためと熱効率の向上を図るためである。【００１６】  前記搬送コンベヤはエプロンコンベヤが良く、鋼製のエプロンの上面を包み込むように囲み極力囲む。前記囲み即ち飛散防止カバーの体積が小さければ過熱蒸気の挿入効率の向上が図られ、また空気の存在の中で挿蒸しても燃焼や爆発等の問題が起きない。【００１７】  前記エプロンコンベヤトンネル入口には上下可動のゲートを設け、トンネル出口側にペール缶を粉砕させる破砕機と破砕時の粉砕物の飛散防止のためのフードを接続させて外気との交流を遮断させてある。
エプロン上にペール缶を載せてトンネル内に送り込むとゲートが閉まり、トンネル内の飛散防止カバーが定位置に停止させたペール缶を囲み、飛散防止カバー壁面に設けたノズルより高温蒸気を噴出させてペール缶に穿孔させ、さらにペール缶内に高温蒸気を挿入させて内部及び収容物を滅菌し、滅菌終了と共に飛散防止カバーを上昇させるとエプロンが移動して破砕機シュートに滅菌済のペール缶が供給される。
【実施例１】
【００１８】  図１は本発明の１実施例の断面図であって２．エプロンコンベヤの３．エプロン板の上に感染性医療廃棄物を収容した１．ペール缶を載せ、エプロンコンベヤの一端を４．トンネル状に囲った入口側に上下にスライドする１２．ゲートを設ける。【００１９】  エプロン板上のペール缶はトンネル内の所定位置に停止すると、１０．飛散防止カバーが降下してペール缶の周囲を包み込む。
飛散防止カバー上面より５．電磁誘導加熱蒸気挿入ノズルよりの６００℃の高温の蒸気を吹き付けることによってペール缶を蒸気の熱で穿孔し、そのままさらにペール缶内に高温蒸気を吹き込む。【００２０】  挿蒸完了後飛散防止カバーを上昇させ、エプロンコンベヤを可動させてペール缶を８．破砕機に供給させる。
トンネルと破砕機上部の７．破砕機フード内は挿入蒸気の残留蒸気で昇温しており、室内温度が８０℃以上に保たれることによって結露防止が図られる。
破砕機フードの上部には排気口を設けて室内圧力を低減させる。
ペール缶破砕物は１３．スクリーンの網目を抜けたものを１１．粉砕物搬出コンベヤにて搬出させる。
【実施例２】
【００２１】  図２の実施例は前記実施例１の方法に準じてペール缶をエプロン上に載せてトンネル内に移送し、トンネル入口ゲートを閉鎖する。
エプロン両側に案内を兼ねた１４．スカートとペール缶を停止させる１５．ストッパー兼用前カバーで前方を囲み、さらに１６．後方カバーでペール缶を後方より押えて四方を囲み、電磁誘導過熱蒸気発生器より高温蒸気を挿入させる挿入口と１７．天井囲み板とを下降させてペール缶を囲み、以下実施例１と同様に高温蒸気をペール缶内に挿入させる。
【図面の簡単な説明】
【００２２】
【図１】感染性医療廃棄物滅菌機の実施方法を示した説明図（断面図）である。（実施例１）
【図２】感染性医療廃棄物滅菌機のペール缶囲い方法を示した説明図（断面図）である。（実施例２）
【符号の説明】
【００２３】１  感染性医療廃棄物容器（ペール缶）
２  エプロンコンベヤ
３  エプロン
４  トンネル
５  電磁誘導過熱蒸気挿入ノズル
６  電磁誘導過熱蒸気発生器
７  破砕機フード
８  ペール缶破砕機
９  飽和蒸気
１０  飛散防止カバー
１１  粉砕物搬出コンベヤ
１２  入口ゲート
１３  スクリーン
１４  左右のスカート
１５  ストッパー兼用前カバー
１６  後方カバー
１７  天井囲い板
【図１】
2011078726.tif 000003
【図２】
2011078726.tif 000004